(57)【特許請求の範囲】
【請求項１】
ポリオールエステル及びコンプレックスエステルからなる群より選ばれる少なくとも１種の基油を基油全量に対して７０質量％以上、
リチウム石けん系増ちょう剤及び複合体リチウム石けん系増ちょう剤からなる群より選ばれる少なくとも１種の増ちょう剤をグリース組成物全量に対して２〜８質量％、並びに、
硫化オレフィン、硫化油脂、ポリサルファイド及び硫化エステルからなる群より選ばれる少なくとも１種の硫黄系極圧剤をグリース組成物全量に対して０．２〜８質量％含み、
混和ちょう度が３５５〜３８５であり、かつ、−１０℃、ずり速度１０ｓ−１における見掛け粘度が１５０Ｐａ・ｓ以下であるシールドマシン用生分解性グリース組成物。
【請求項２】
ジアルキルジチオリン酸亜鉛をグリース組成物全量に対して０．２〜２質量％含有する請求項１に記載のシールドマシン用生分解性グリース組成物。
【発明の詳細な説明】
【技術分野】
【０００１】
本発明は、シールドマシン用生分解性グリース組成物に関する。
【背景技術】
【０００２】
シールド工法によるトンネル工事に使用されるシールドマシンと呼ばれる掘削機は、主に回転部を支える軸受けとシールとの潤滑にグリースを使用している。このシールは、土砂や水が軸受け内に侵入するのを防ぐものであり、グリース自体も土砂や水が軸受け内に侵入するのを防ぐ働きをするが、装置の設計上、グリースが土壌に漏れる可能性がある。
【０００３】
一方、近年、環境問題がクローズアップされており、地球環境の保護があらゆる産業界での課題となっている。グリースにおいても、その主成分である基油が自然環境の中へ放出されると、水質や土壌を汚染する可能性があるため、グリースが外部へ漏れる可能性のある箇所については、生分解性の向上が望まれている。
【０００４】
本技術分野では、生分解性に加え、グリース本来の性能を満たすため、基油や添加剤等の配合を工夫した試みがなされており、生分解性の高い基油のほか、極圧剤などを配合した生分解性グリース組成物が提案されている（例えば、特許文献１〜３）。
【先行技術文献】
【特許文献】
【０００５】
【特許文献１】特開２００４−１８７２５号公報
【特許文献２】特開２００８−２０８２４０号公報
【特許文献３】特開２００７−１６０６６号公報
【発明の概要】
【発明が解決しようとする課題】
【０００６】
シールドマシンに用いられているグリースは、集中給油装置を用いポンプにて潤滑箇所に送られることが大半であり、また、屋外で使用されることから冬季の低温下でも十分な圧送性が求められている。圧送性が不十分であると、軸受けとシールの潤滑不良になることに加え、軸受け内に土砂や水が浸入するおそれがあり、シールドマシン本来の性能を発揮できない原因となる。すなわち、シールドマシンのような建設機械用グリースには、極圧性、生分解性はもとより、圧送性が求められる。
【０００７】
そこで、本発明は、極圧性、生分解性及び圧送性に優れたシールドマシン用生分解性グリース組成物を提供することを目的とする。
【課題を解決するための手段】
【０００８】
本発明者らは、シールドマシンの用途に適しており、かつ環境に適したグリースを開発すべく鋭意検討した結果、特定の基油と増ちょう剤の配合比率を制御し、かつ特定の添加剤を組み合わせることで、シールドマシンに求められるグリース性能を有し、かつ生分解性、圧送性に優れたグリース組成物を得ることができることを見出し、本発明を完成するに至った。
【０００９】
すなわち、以下の本発明が提供される。
＜１＞  ポリオールエステル及びコンプレックスエステルからなる群より選ばれる少なくとも１種の基油を基油全量に対して７０質量％以上、
リチウム石けん系増ちょう剤、複合体リチウム石けん系増ちょう剤、ジウレア化合物及びＮ置換テレフタラミン酸金属塩からなる群より選ばれる少なくとも１種の増ちょう剤をグリース組成物全量に対して１〜１０質量％、並びに、
硫化オレフィン、硫化油脂、ポリサルファイド及び硫化エステルからなる群より選ばれる少なくとも１種の硫黄系極圧剤をグリース組成物全量に対して０．２〜８質量％含み、
混和ちょう度が３１０〜４３０であり、かつ、−１０℃、ずり速度１０ｓ−１における見掛け粘度が１５０Ｐａ・ｓ以下であるシールドマシン用生分解性グリース組成物。
＜２＞  ジアルキルジチオリン酸亜鉛をグリース組成物全量に対して０．２〜２質量％含有する請求項１に記載のシールドマシン用生分解性グリース組成物。
【発明の効果】
【００１０】
本発明によれば、極圧性、生分解性及び圧送性に優れたシールドマシン用生分解性グリース組成物が提供される。
【発明を実施するための形態】
【００１１】
以下、本発明のシールドマシン用生分解性グリース組成物について詳細に説明する。なお、本明細書中、数値範囲を表す「〜」はその上限及び下限の数値を含む範囲を表す。
【００１２】
本発明のシールドマシン用生分解性グリース組成物（以下、単に「グリース組成物」又は「グリース」と記す場合がある。）は、ポリオールエステル及びコンプレックスエステルからなる群より選ばれる少なくとも１種の基油を基油全量に対して７０質量％以上、リチウム石けん系増ちょう剤、複合体リチウム石けん系増ちょう剤、ジウレア化合物及びＮ置換テレフタラミン酸金属塩からなる群より選ばれる少なくとも１種の増ちょう剤をグリース組成物全量に対して１〜１０質量％、並びに、硫化オレフィン、硫化油脂、ポリサルファイド及び硫化エステルからなる群より選ばれる少なくとも１種の硫黄系極圧剤をグリース組成物全量に対して０．２〜８質量％含み、混和ちょう度が３１０〜４３０であり、かつ、−１０℃、ずり速度１０ｓ−１における見掛け粘度が１５０Ｐａ・ｓ以下である。
以下、本発明のグリース組成物の各成分及び物性についてより具体的に説明する。
【００１３】
＜基油＞
本発明のグリースは、基油として、ポリオールエステル及びコンプレックスエステルからなる群より選ばれる少なくとも１種を基油全量に対して７０質量％以上含む基油を含有する。
このような基油を用いることで、高い生分解性を得ることができるとともに、低温での圧送性を得ることができる。
【００１４】
ポリオールエステルとしては、炭素数５〜６の２価、３価又は４価の多価アルコールと、炭素数３〜２２のモノカルボン酸とのエステルが挙げられる。
【００１５】
ポリオールエステルの合成に用いるモノカルボン酸の好ましい炭素数は３〜２２であり、より好ましくは６〜２０である。
モノカルボン酸の具体例としては、ヘキサン酸、オクタン酸、２−エチルヘキシル酸、イソオクタン酸、ノナン酸、デカン酸、イソデカン酸、オレイン酸、ステアリン酸等が挙げられる。
また、多価アルコールの具体例としては、ネオペンチルグリコール、トリメチロールプロパン、ペンタエリスリトール等が挙げられる。
【００１６】
コンプレックスエステルとしては、炭素数５〜６の２価、３価又は４価の多価アルコールと、炭素数４〜１８のモノカルボン酸及び炭素数３〜１８のジカルボン酸からなるコンプレックス型エステルが挙げられる。
【００１７】
コンプレックスエステルの合成に用いるモノカルボン酸の好ましい炭素数は４〜１８であり、より好ましくは６〜１２であり、ジカルボン酸についての好ましい炭素数は３〜１８であり、より好ましくは４〜１２である。
モノカルボン酸としては、例えば、ヘキサン酸、オクタン酸、２−エチルヘキシル酸、イソオクタン酸、ノナン酸、デカン酸、イソデカン酸、ステアリン酸等が挙げられる。ジカルボン酸としては、例えばコハク酸、アジピン酸、アゼライン酸、セバシン酸等が挙げられる。
【００１８】
また、多価アルコールとしては、例えばネオペンチルグリコール、トリメチロールエタン、トリメチロールプロパン、ペンタエリスリトール、ジペンタエリスリトール等が挙げられる。
【００１９】
本発明のグリースに用いられる基油は、十分な生分解性を得るために、上記のようなポリオールエステル及びコンプレックスエステルから選ばれる少なくとも１種を基油全量に対して７０質量％以上含有し、当該基油の含有量が基油全量に対して１００質量％に近いほど好ましい。すなわち、上記のポリオールエステル、コンプレックスエステル、又は、ポリオールエステル及びコンプレックスエステルからなる基油を用いることで、より高い生分解性を得ることができる。
【００２０】
本発明のグリースに用いる基油は、動粘度があまり小さすぎると極圧性が低くなる傾向があり、動粘度が大きすぎると生分解性が低下する傾向にある。そこで、本発明のグリースに用いる基油は、ポリオールエステル及びコンプレックスエステルから選ばれる少なくとも１種を基油全量に対して７０質量％以上含有するとともに、４０℃における動粘度を１〜１０００ｍｍ２／ｓとすることが好ましく、より好ましくは５〜５００ｍｍ２／ｓ、特に好ましくは１０〜２００ｍｍ２／ｓである。
【００２１】
本発明のグリースに用いる基油は、流動点が高すぎると低温下での圧送性が低下する傾向にある。そこで、本発明のグリースに用いる基油は、ポリオールエステル及びコンプレックスエステルから選ばれる少なくとも１種を基油全量に対して７０質量％以上含有するとともに、流動点を−１０℃以下とすることが好ましく、より好ましくは−１５℃以下、特に好ましくは−２０℃以下である。
【００２２】
なお、基油としてポリオールエステル及びコンプレックスエステル以外の成分を含有する場合には、鉱油系潤滑油基油、合成系潤滑油基油等の基油成分を基油全量に対して３０質量％以下の範囲で含有することができる。
鉱油系潤滑油基油としては、例えば原油の潤滑油留分を溶剤精製、水素化精製など適宜組み合わせて精製したものが挙げられる。合成系潤滑油基油としては、例えば、αオレフィンオリゴマー（ＰＡＯ）、ジアルキルジエステル、ポリグリコール類などが挙げられる。
【００２３】
＜増ちょう剤＞
本発明のグリース組成物は、リチウム石けん系増ちょう剤、複合体リチウム石けん系増ちょう剤、ジウレア化合物及びＮ−置換テレフタラミン酸金属塩からなる群より選ばれる少なくとも１種の増ちょう剤をグリース組成物全量に対して１〜１０質量％含有する。
【００２４】
リチウム石けん系増ちょう剤としては、リチウム−１２−ヒドロキシステアレート等の水酸基を有する脂肪族カルボン酸リチウム塩、リチウム−ステアレート等の脂肪族カルボン酸リチウム塩、またはそれらの混合物などが挙げられる。
【００２５】
複合体リチウム石けん系増ちょう剤としては、前述の水酸基を有する脂肪族カルボン酸リチウム塩と二塩基酸リチウム塩とのコンプレックス等が挙げられる。ここで、好適な二塩基酸としては、コハク酸、マロン酸、アジピン酸、ピメリン酸、アゼライン酸、セバシン酸等が挙げられる。特に好適なものはアゼライン酸及びセバシン酸である。
【００２６】
ジウレア化合物としては下記一般式（１）で示されるものが挙げられる。
【００２７】
【化１】
0006280826.tif 000002
【００２８】
一般式（１）中、Ｒ１、Ｒ２及びＲ３はそれぞれ炭素数１〜３０の炭化水素基である。Ｒ１及びＲ３は、それぞれ脂肪族炭化水素基、脂環式炭化水素基、芳香族炭化水素基又はそれらの組み合わせであり、好ましい炭素数は１〜３０であり、より好ましくは６〜１８である。Ｒ２は１〜３０個の炭素原子を有する炭化水素基である。
【００２９】
Ｎ−置換テレフタラミン酸金属塩は、下記一般式（２）で表される。
【００３０】
【化２】
0006280826.tif 000003
【００３１】
一般式（２）において、Ｒ４は炭素数４〜２２の炭化水素基であり、その炭素数は好ましくは１４〜２０である。Ｒ４の例としてはデシル基、テトラデシル基、ヘキサデシル基、オクタデシル基等が挙げられる。
【００３２】
一般式（２）中のＭは、金属であり、その例としては周期律Ｉ族、ＩＩ族、ＩＩＩ族、及びＩＶ族の金属、例えばリチウム、カリウム、ナトリウム、マグネシウム、カルシウム、バリウム、亜鉛、アルミニウム、鉛などが挙げられる。特に好ましいのはナトリウム、バリウム、リチウム、カリウムであり、なかでもナトリウムが最も好ましい。また、ｎはＭの価数と同一である。
【００３３】
増ちょう剤は、グリース組成物にちょう度を付与するものであり、上記したものを単独でも組み合わせても使用することができるが、配合量が少なすぎると、グリース状にならずに適度なちょう度が得られず、多すぎると、製品グリースが硬くなるとともに圧送性が低下する。
【００３４】
本発明において使用される前記増ちょう剤の配合量は、グリース組成物全量に対して１〜１０質量％であり、好ましくは２〜８質量％である。
【００３５】
＜硫黄系極圧剤＞
本発明のグリースは、硫化オレフィン、ポリサルファイド、硫化エステル及び硫化油脂からなる群より選ばれる少なくとも１種の硫黄系極圧剤をグリース組成物全量に対して０．２〜８質量％含有する。
硫化オレフィンとポリサルファイドは、下記一般式（３）で表される。
【００３６】
なお、後述するように、硫化オレフィンはオレフィン類を硫化して得られ、ポリサルファイドはオレフィン類以外の炭化水素原料を硫化して得られる。
【００３７】
【化３】
0006280826.tif 000004
【００３８】
一般式（３）中、Ｒ５及びＲ７は同一または異なる一価の炭化水素基である。Ｒ５及びＲ７としては、炭素数２〜２０の直鎖または分岐鎖の飽和または不飽和の脂肪族炭化水素基、炭素数２〜２６の芳香族炭化水素基等を挙げることができる。
具体的には、エチル基、プロピル基、ブチル基、ノニル基、ドデシル基、プロペニル基、ブテニル基、ベンジル基、フェニル基、トリル基、ヘキシルフェニル基などが挙げられる。
Ｒ６としては、炭素数２〜２０の直鎖または分岐鎖の飽和または不飽和の脂肪族炭化水素基、炭素数６〜２６の芳香族炭化水素基等を挙げることができる。具体的にはエチレン基、プロピレン基、ブチレン基、フェニレン基などが挙げられる。
【００３９】
一般式（３）中、ｘは１以上の整数であり、好ましくは１〜８の整数であり、繰り返し単位中においてそれぞれｘは同一または異なる数である。ｘが小さいと極圧性が小さくなり、ｘが大きすぎると熱酸化安定性が低下する傾向にある。極圧性及び熱酸化安定性をともに得るため、繰り返し単位中のｘは１〜６の整数が好ましく、より好ましくは２〜４の整数であり、特に好ましくは２〜３の整数である。
ｎは０または１以上の整数である。
【００４０】
硫化オレフィンの具体例としては、ポリイソブチレンやテルペン類などのオレフィン類を硫黄その他の硫化剤で硫化して得られるものが挙げられる。
【００４１】
また、ポリサルファイド化合物の具体的としては、ジイソブチルジサルファイド、ジオクチルポリサルファイド、ジ−ｔｅｒｔ−ブチルポリサルファイド、ジ−ｔｅｒｔ−ベンジルポリサルファイドなどが挙げられる。
【００４２】
硫化油脂は、油脂と硫黄との反応生成物であり、油脂としてラード、牛脂、鯨油、パーム油、ヤシ油、ナタネ油などの動植物油脂を使用し、これを硫化反応して得られるものである。この反応生成物は、単一のものではなく、種々の物質の混合物であり、化学構造そのものは明確でない。
【００４３】
硫化エステルは、上記油脂と各種アルコールとの反応により得られる脂肪酸エステルを硫化することにより得られ、硫化油脂と同様、化学構造そのものは明確でない。
【００４４】
また、硫黄系極圧剤の配合量が少なすぎると、十分な極圧性が得られず、多すぎると、グリース本来の性能である熱酸化安定性が低下する傾向にある。そこで、本発明のグリース組成物中の硫黄系極圧剤の配合量は、０．２〜８質量％とし、好ましくは０．５〜７質量％、特に好ましくは１．０〜５．０質量％である。
【００４５】
＜摩耗防止剤＞
本発明のグリースにおいては、さらに摩耗防止剤として、ジアルキルジチオリン酸亜鉛を含有させることが好ましい。ジアルキルジチオリン酸亜鉛は、下記一般式（４）で表される。
【００４６】
【化４】
0006280826.tif 000005
【００４７】
一般式（４）中、Ｒ８、Ｒ９、Ｒ１０及びＲ１１は同一または異なる炭化水素基（アルキル基）である。
アルキル基は、１級（プライマリ）アルキル基及び２級（セカンダリ）アルキル基が好ましく、１級（プライマリ）アルキル基が特に好ましい。アルキル基の炭素数は、２〜１４が好ましく、３〜１０が特に好ましい。
【００４８】
前記ジアルキルジチオリン酸亜鉛は、１種単独で又は２種以上を組み合わせて用いることができる。
【００４９】
また、ジアルキルジチオリン酸亜鉛の配合量が少なすぎると、十分な摩耗防止性が得られない場合があり、多すぎると、グリース本来の性能である熱酸化安定性が低下する傾向にある。そこで、本発明のグリース組成物中のジアルキルジチオリン酸亜鉛の配合量は、０．２〜２質量％とすることが好ましく、より好ましくは０．２〜１．５質量％、特に好ましくは０．２〜１．０質量％である。
【００５０】
＜その他の添加剤＞
本発明のグリース組成物は、必要に応じて、各種添加剤を適宜配合することができる。
添加剤としては、例えば、アルカリ土類金属スルホネート、アルカリ土類金属フェネート、アルカリ土類金属サリシレートなどの金属系清浄剤；アルケニルこはく酸イミド、アルケニルこはく酸イミド硼素化変性物、ベンジルアミン、アルキルポリアミンなどの分散剤；２，６−ジ−ｔｅｒｔ−ブチル−ｐ−クレゾールなどのアルキルフェノール類、４，４’−メチレンビス−（２，６−ジ−ｔ−ブチルフェノール）などのビスフェノール類、ｎ−オクタデシル−３−（４’−ヒドロキシ−３’，５’−ジ−ｔｅｒｔ−ブチルフェノール）プロピオネートなどのフェノール系化合物、ナフチルアミン類やジアルキルジフェニルアミン類などの芳香族アミン化合物などの各種酸化防止剤；重質スルホン酸の金属塩、多価アルコールのカルボン酸部分エステルなどの各種錆止め剤；ベンゾトリアゾール、ベンゾイミダゾールなどの各種腐食防止剤などが挙げられる。
これらの添加剤は、１種単独又は２種以上を組み合わせて用いることができる。
【００５１】
これらの添加剤の配合量は、それぞれの添加剤による効果を発揮しつつ、グリース組成物の生分解性、極圧性、及び熱酸化安定性の低下を防ぐため、グリース組成物全量に対して０．０１〜１０質量％、より好ましくは０．０５〜１０質量％、さらに好ましくは０．０５〜８質量％である。
【００５２】
＜混和ちょう度＞
本発明のグリース組成物は、混和ちょう度が３１０〜４３０であり、好ましくは３４０〜４００、より好ましくは３５５〜３８５である。混和ちょう度は数値が小さいとグリースが硬く、大きいと柔らかいことを示す。混和ちょう度が小さすぎると、圧送性の低下につながり、また、混和ちょう度が大きすぎるとグリースが土壌へ漏洩しやすくなる。
【００５３】
＜見掛け粘度＞
本発明のグリース組成物は、−１０℃、ずり速度１０ｓ−１における見掛け粘度が１５０Ｐａ・ｓ以下であり、好ましくは１００Ｐａ・ｓ以下であり、通常は１０〜６０Ｐａ・ｓが好適である。見掛け粘度が大きすぎると、集中給油装置にてグリースを十分に圧送することができなくなり、潤滑箇所で潤滑不良が生じ易い。
【００５４】
以上のような基油、増ちょう剤、硫黄系極圧剤等を配合して混和ちょう度と見掛け粘度が調整された本発明に係るシールドマシン用生分解性グリース組成物は、生分解性、極圧性及び圧送性に極めて優れたものとなり、外部へグリースが漏れる可能性のある箇所に特に好適に使用することができる。
【実施例】
【００５５】
次に、本発明に係るグリース組成物について実施例により具体的に説明する。なお、本発明は、これらの実施例により何ら限定されるものではない。
【００５６】
＜実施例１及び比較例１＞
実施例及び比較例では、以下に示す＊１〜＊７の各成分を下記表１に示した配合量（質量％）の割合で含有させたグリース組成物を調製した。
【００５７】
＜増ちょう剤＞
＊１：リチウム−１２−ヒドロキシステアレート
【００５８】
＜基油＞
＊２：精製鉱油（水素化精製鉱油、４０℃動粘度：８５ｍｍ２／ｓ、流動点：−１２．５℃）
＊３：コンプレックスエステル（トリメチロールプロパンと、炭素数８〜１０のモノカルボン酸及び炭素数６のジカルボン酸とのコンプレックスエステル、４０℃動粘度：１０７ｍｍ２／ｓ、流動点：−４２．５℃）
【００５９】
＜硫黄系極圧剤＞
＊４：硫化油脂
＊５：硫化オレフィン
＜摩耗防止剤＞
＊６：ジアルキルジチオリン酸亜鉛（プライマリタイプ）
＜その他添加剤＞
＊７：酸化防止剤（アミン系酸化防止剤）
【００６０】
上記＊１〜＊７の各成分の内、増ちょう剤（＊１：リチウム−１２−ヒドロキシステアレート）は、その増ちょう剤の原料を基油に混合して、基油中でその原料を反応させて増ちょう剤にして、結果として表１に示すように＊１の成分を含有するグリース組成物を調製した。
グリース組成物は、＊１〜＊７の各成分を適宜混合し、ミル処理を行ってグリース中に増ちょう剤を均一に分散させ、調製した。
【００６１】
本発明の実施例及び比較例において使用するグリースは、具体的には、次の方法により調製した。
耐熱容器に基油として精製鉱油を用い、増ちょう剤の原料として１２−ヒドロキシステアリン酸を投入し、加熱した。次に水酸化リチウム・一水和物の水溶液を約９０℃付近で添加し、けん化反応によりリチウム−１２−ヒドロキシステアレートを生成させた。
【００６２】
さらにこれを２００℃付近まで加熱し、溶解させ、コンプレックスエステルを加えて冷却を行うことによりリチウム−１２−ヒドロキシステアレートを再結晶化させた。ついで、約８０℃で各種添加剤を加え、撹拌混合し、その後、３本ロールでミル処理を行い、脱泡処理をすることでグリース組成物を調製した。
得られたグリース組成物は、それぞれ混和ちょう度、極圧性、生分解性、圧送性の各評価を行った。
【００６３】
＜評価方法＞
１．混和ちょう度
ＪＩＳ  Ｋ  ２２２０（２０１３）ちょう度試験方法に基づき評価した。混和ちょう度はグリースの硬さを表す物性値であり、数値が小さいほど硬く、数値が大きいほど柔らかい。
【００６４】
２．極圧性試験
各グリース組成物の極圧性を評価するため、ＡＳＴＭ  Ｄ２５９６に基づき四球式耐荷重能（融着荷重、単位：Ｎ）を評価した。融着荷重の数値が大きいほど極圧性が高く、グリースとして好ましい。
【００６５】
３．生分解性
各グリース組成物の生分解性を評価するため、ＯＥＣＤ  ３０１Ｂに基づき評価した。生分解度６０％以上を合格とした。
【００６６】
４．圧送性
各グリース組成物の圧送性を評価するため、ＪＩＳ  Ｋ  ２２２０（２０１３）見掛け粘度試験方法に基づき行い、−１０℃、ずり速度１０ｓ−１の見掛け粘度（単位：Ｐａ・ｓ）を求めた。見掛け粘度はグリースをポンプで送る際の良否を評価するものであり、この数値が小さいほど圧送性が良好とされる。見掛け粘度１５０Ｐａ・ｓ以下を合格とした。
【００６７】
表１に、グリース組成物の各成分の配合比（質量％）及び評価結果を示す。
【００６８】
【表１】
0006280826.tif 000006
【００６９】
表１に示すように、実施例１のグリース組成物は、極圧性、生分解性、及び圧送性の全てに優れていた。一方、比較例１のグリース組成物は、極圧性及び生分解性は満足するが、圧送性が不十分である。流動点の低いエステル基油を使用しても、増ちょう剤の配合量が多いと圧送性が顕著に劣ることが分かる。
【産業上の利用可能性】
【００７０】
本発明のグリース組成物は、生分解性、極圧性及び圧送性に優れ、シールドマシン用グリースとして好適に使用することができ、実用上極めて有用である。